(57)【要約】  ランダムアクセスプリアンブルを送信する送信部と、複数のランダムアクセスレスポンスを受信する受信部と、前記受信部が受信した複数のランダムアクセスレスポンスのうちのいずれを用いて、データの送信を行うかを選択する制御部とを備える、ユーザ装置。
2020035952.tif 000002
【特許請求の範囲】
【請求項１】
ランダムアクセスプリアンブルを送信する送信部と、
複数のランダムアクセスレスポンスを受信する受信部と、
前記受信部が受信した複数のランダムアクセスレスポンスのうちのいずれを用いて、データの送信を行うかを選択する制御部と
を備える、
ユーザ装置。
【請求項２】
前記制御部は、前記受信部が受信した複数のランダムアクセスレスポンスのうち、時間に関して最も先に受信したランダムアクセスレスポンスを選択する、
請求項１に記載のユーザ装置。
【請求項３】
前記制御部は、前記受信部が受信した複数のランダムアクセスレスポンスのうちの各ランダムアクセスレスポンスに含まれるタイミングアドバンス値を比較して、最少のタイミングアドバンス値を検出し、該最少のタイミングアドバンス値を含むランダムアクセスレスポンスを選択する、
請求項１に記載のユーザ装置。
【請求項４】
前記制御部は、前記受信部が受信した複数のランダムアクセスレスポンスのうちの各ランダムアクセスレスポンスに含まれるスケジューリング情報を比較して、時間に関して最も早い上り送信タイミングを含むスケジューリング情報を検出し、該最も早い上り送信タイミングを含むスケジューリング情報を含むランダムアクセスレスポンスを選択する、
請求項１に記載のユーザ装置。
【請求項５】
前記制御部は、前記受信部が受信した複数のランダムアクセスレスポンスのうちの各ランダムアクセスレスポンスに含まれるスケジューリング情報を比較して、周波数方向のサイズが最小となるリソースの割り当て情報を含むスケジューリング情報を検出し、該周波数方向のサイズが最小となるリソースの割り当て情報を含むスケジューリング情報を含むランダムアクセスレスポンスを選択する、
請求項１に記載のユーザ装置。
【請求項６】
ランダムアクセスプリアンブルを送信するステップと、
複数のランダムアクセスレスポンスを受信するステップと、
前記受信した複数のランダムアクセスレスポンスのうちのいずれを用いて、データの送信を行うかを選択するステップと
を備える、
通信方法。
【発明の詳細な説明】
【技術分野】
【０００１】
本発明は、無線通信システムにおけるユーザ装置及び通信方法に関連するものである。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、システム容量の更なる大容量化、データ伝送速度の更なる高速化、無線区間における更なる低遅延化等を実現するために、ＮＲ（Ｎｅｗ  Ｒａｄｉｏ）あるいは５Ｇと呼ばれる無線通信方式の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ＬＴＥと同様の低い周波数帯から、ＬＴＥよりも更に高い周波数帯までの幅広い周波数を使用することが想定されている。特に、高周波数帯では伝搬ロスが増大することから、それを補うために、ビームゲインの高いビームフォーミングを適用することが検討されている。ビームフォーミングを適用して信号を送信する場合、基地局又はユーザ装置は、ビーム探索（ｂｅａｍ  ｓｗｅｅｐｉｎｇ）等を行うことで、通信相手側で受信品質が良好になるように送信ビームの方向を決定することが考えられる。【０００４】
非特許文献１に記載されているように、現在、３ＧＰＰでは、Ｒｅｌ−１６  Ｉｎｔｅｇｒａｔｅｄ  Ａｃｃｅｓｓ  Ｂａｃｋｈａｕｌ（ＩＡＢ）のＳｔｕｄｙ  Ｉｔｅｍ（ＳＩ）が議論されている。【０００５】
２０１８年４月の３ＧＰＰのＲＡＮ１＃９２ｂｉｓ会合において、ＩＡＢノードは、他のＩＡＢノード／ドナーと接続するため、及びネットワークとの統合のために、アクセスＵＥと同様の初期アクセス手順（セルサーチ、システム情報（ＳＩ）の取得、及びランダムアクセスを含む）を行うことについて、合意されている。つまり、ＩＡＢノード（中継基地局と呼ばれてもよい）は、他のＩＡＢノード（ドナー基地局と呼ばれてもよい）に対して、ユーザ装置が当該他のＩＡＢノードに接続する場合に行う初期アクセス手順と同様の初期アクセス手順（ランダムアクセス手順を含む）を行う。
【先行技術文献】
【非特許文献】
【０００６】
【非特許文献１】３ＧＰＰ  ＴＳＧ  ＲＡＮ  Ｍｅｅｔｉｎｇ  ＃７８、ＲＰ−１７２２９０、Ｌｉｓｂｏｎ、Ｐｏｒｔｕｇａｌ、Ｄｅｃｅｍｂｅｒ  １８−２１、２０１７
【非特許文献２】３ＧＰＰ  ＴＳ  ３８．２１１  Ｖ１５．２．０（２０１８−０６）
【発明の概要】
【発明が解決しようとする課題】
【０００７】
ＮＲにおいても、ＬＴＥでのランダムアクセス手順と同様のランダムアクセス手順が行われることが想定されている。しかし、中継基地局と基地局との間に無線バックホールリンクが設定されることを前提とした場合の、ユーザ装置と中継基地局又は基地局との間のランダムアクセス手順は不明確となっている。【０００８】
中継基地局と基地局との間に無線バックホールリンクが設定されることを前提とした場合の、ユーザ装置と中継基地局又は基地局との間のランダムアクセス手順を明確化することが必要とされている。
【課題を解決するための手段】
【０００９】
本発明の一態様によれば、ランダムアクセスプリアンブルを送信する送信部と、複数のランダムアクセスレスポンスを受信する受信部と、前記受信部が受信した複数のランダムアクセスレスポンスのうちのいずれを用いて、データの送信を行うかを選択する制御部とを備える、ユーザ装置が提供される。
【発明の効果】
【００１０】
本発明の実施例によれば、中継基地局と基地局との間に無線バックホールリンクが設定されることを前提とした場合の、ユーザ装置と中継基地局又は基地局との間のランダムアクセス手順が明確化される。
【図面の簡単な説明】
【００１１】
【図１】本実施の形態における通信システムの構成図である。
【図２】ランダムアクセス手順の例を示す図である。
【図３】ビームとＲＡＣＨとの関係を示す図である。
【図４】中継基地局とドナー基地局との間に無線バックホールリンクが設定されている場合のランダムアクセス手順の例を示す図である。
【図５】ユーザ装置１０の機能構成の一例を示す図である。
【図６】中継基地局２０及びドナー基地局３０の機能構成の一例を示す図である。
【図７】ユーザ装置１０、中継基地局２０、及びドナー基地局３０のハードウェア構成の一例を示す図である。
【発明を実施するための形態】
【００１２】
以下、図面を参照して本発明の実施の形態（本実施の形態）を説明する。なお、以下で説明する実施の形態は一例に過ぎず、本発明が適用される実施の形態は、以下の実施の形態に限られるわけではない。
【００１３】
以下の実施の形態における無線通信システムは基本的にＮＲに準拠することを想定しているが、それは一例であり、本実施の形態における無線通信システムはその一部又は全部において、ＮＲ以外の無線通信システム（例：ＬＴＥ）に準拠していてもよい。
【００１４】
（システム全体構成）
図１に本実施の形態に係る無線通信システムの構成図を示す。本実施の形態に係る無線通信システムは、図１に示すように、ユーザ装置１０、基地局（以下、中継基地局とも呼ばれる）２０、及び基地局（以下、ドナー基地局とも呼ばれる）３０を含む。図１には、ユーザ装置１０、中継基地局２０、及びドナー基地局３０が１つずつ示されているが、これは例であり、それぞれ複数であってもよい。
【００１５】
ユーザ装置１０は、スマートフォン、携帯電話機、タブレット、ウェアラブル端末、Ｍ２Ｍ（Ｍａｃｈｉｎｅ−ｔｏ−Ｍａｃｈｉｎｅ）用通信モジュール等の無線通信機能を備えた通信装置であり、中継基地局２０及び／又はドナー基地局３０に無線接続し、無線通信システムにより提供される各種通信サービスを利用する。中継基地局２０は、１つ以上のセルを提供し、ユーザ装置１０と無線通信する通信装置である。ここで、中継基地局２０は、ＩＡＢ−ｎｏｄｅと呼ばれてもよい。ＩＡＢ−ｎｏｄｅとは、ユーザ装置１０と無線接続を行い、ユーザ装置１０からのアクセストラフィックを無線でバックホール（再送信）する機能を有する無線アクセスネットワーク（ＲＡＮ）ノードである。ドナー基地局３０は、１つ以上のセルを提供し、ユーザ装置１０と無線通信する通信装置である。ドナー基地局３０は、ＩＡＢ−ｄｏｎｏｒと呼ばれてもよい。ＩＡＢ−ｄｏｎｏｒとは、コアネットワークに対してユーザ装置１０のインターフェースを提供し、ＩＡＢ−ｎｏｄｅに対して無線バックホール機能を提供するＲＡＮノードである。ユーザ装置１０と中継基地局２０はいずれも、ビームフォーミングを行って信号の送受信を行うことが可能である。ユーザ装置１０とドナー基地局３０はいずれも、ビームフォーミングを行って信号の送受信を行うことが可能である。中継基地局２０は、ドナー基地局３０との間で無線リンク（無線バックホールリンク、無線中継リンク等と呼ばれてもよい）を設定することが可能である。中継基地局２０は、ドナー基地局３０との間で無線リンクを設定し、ユーザ装置１０とドナー基地局３０との間の通信を中継することが可能である。ここで、中継基地局２０は、ドナー基地局３０のセルのカバレッジを拡張するために設けられてもよい。例えば、中継基地局２０の提供するセルと、ドナー基地局３０の提供するセルとが同一のセルであってもよく、この場合において、中継基地局２０の送信する物理セルＩＤ（ＰＣＩＤ）と、ドナー基地局３０の提供する物理セルＩＤ（ＰＣＩＤ）とは、同一であってもよい。ここで、ユーザ装置１０をＵＥと称し、中継基地局２０をｇＮＢと称し、ドナー基地局３０をｇＮＢと称してもよい。また、中継基地局２０をＩＡＢノードと称し、ドナー基地局３０をＩＡＢドナーと称してもよい。
【００１６】
本実施の形態において、複信（Ｄｕｐｌｅｘ）方式は、ＴＤＤ（Ｔｉｍｅ  Ｄｉｖｉｓｉｏｎ  Ｄｕｐｌｅｘ）方式でもよいし、ＦＤＤ（Ｆｒｅｑｕｅｎｃｙ  Ｄｉｖｉｓｉｏｎ  Ｄｕｐｌｅｘ）方式でもよい。
【００１７】
また、本実施の形態の説明において、ビームを用いて信号を送信することは、プリコーディングベクトルが乗算された（プリコーディングベクトルでプリコードされた）信号を送信することと同義である。また、ビームを用いて信号を送信することは、特定のアンテナポートで信号を送信することと表現されてもよい。アンテナポートとは、３ＧＰＰの規格で定義されている論理アンテナポートを指す。なお、ビームの形成方法は、上記の方法に限られるわけではない。例えば、複数アンテナ素子を備えるユーザ装置１０及び複数アンテナ素子を備える基地局２０において、それぞれのアンテナ素子の角度を変える方法を用いてもよいし、プリコーディングベクトルを用いる方法とアンテナ素子の角度を変える方法を組み合わせる方法を用いてもよいし、その他の方法を用いてもよい。
【００１８】
本実施の形態に係る技術は、ＮＲのランダムアクセス、ビームフォーミング等に関わるものなので、まずは、無線通信システムにおけるこれらの動作例を説明する。
【００１９】
（ランダムアクセス手順等）
図２を参照して、本実施の形態におけるランダムアクセス手順の例を説明する。図２に示す手順を初期アクセスと呼んでもよい。
【００２０】
基地局２０は、所定の周期でＳＳ（Ｓｙｎｃｈｒｏｎｉｚａｔｉｏｎ  Ｓｉｇｎａｌ）／ＰＢＣＨ（Ｐｈｙｓｉｃａｌ  Ｂｒｏａｄｃａｓｔ  Ｃｈａｎｎｅｌ）ブロック（ＳＳＢ（Ｓｙｎｃｈｒｏｎｉｚａｔｉｏｎ  Ｓｉｇｎａｌ  Ｂｌｏｃｋ）とも呼ぶ）を送信し、ユーザ装置１０は当該ＳＳ／ＰＢＣＨブロックを受信する（Ｓ１１）。ＳＳ／ＰＢＣＨブロックには、同期信号、初期アクセスに必要なシステム情報の一部（システムフレーム番号（ＳＦＮ）、残りのシステム情報を読むために必要な情報、等）を含む。また、ユーザ装置１０は、基地局２０からＲＭＳＩを受信する（Ｓ１２）。ＲＭＳＩには、例えばＬＴＥにおけるＳＩＢ１の情報が含まれる。
【００２１】
続いて、ユーザ装置１０は、Ｍｅｓｓａｇｅ１（Ｍｓｇ１（＝Ｒａｎｄｏｍ  Ａｃｃｅｓｓ（ＲＡ）  ｐｒｅａｍｂｌｅ））を送信する（Ｓ１３）。
【００２２】
基地局２０は、ＲＡ  ｐｒｅａｍｂｌｅを検出すると、その応答であるＭｅｓｓａｇｅ２（Ｍｓｇ２（＝ＲＡ  ｒｅｓｐｏｎｓｅ））をユーザ装置１０に送信する（Ｓ１４）。なお、以降の説明において、"Ｍｓｇ２"は、特に断らない限り、そのスケジューリングに使用するＰＤＣＣＨと、実体情報を運ぶＰＳＤＣＨを含むものとする。
【００２３】
ＲＡ  ｒｅｓｐｏｎｓｅを受信したユーザ装置１０は、所定の情報を含むＭｅｓｓａｇｅ３（Ｍｓｇ３）を基地局２０に送信する（ステップＳ１５）。Ｍｅｓｓａｇｅ３は、例えば、ＲＲＣ  ｃｏｎｎｅｃｔｉｏｎ  ｒｅｑｕｅｓｔである。
【００２４】
Ｍｅｓｓａｇｅ３を受信した基地局２０は、Ｍｅｓｓａｇｅ４（Ｍｓｇ４、例：ＲＲＣ  ｃｏｎｎｅｃｔｉｏｎ  ｓｅｔｕｐ）をユーザ装置１０に送信する（Ｓ１６）。ユーザ装置１０は、上記の所定の情報がＭｅｓｓａｇｅ４に含まれていることを確認すると、当該Ｍｅｓｓａｇｅ４が、上記のＭｅｓｓａｇｅ３に対応する自分宛てのＭｅｓｓａｇｅ４であることを認識し、ランダムアクセス手順を完了し、ＲＲＣ接続を確立する（Ｓ１７）。なお、図２は、Ｍｅｓｓａｇｅ３とＭｅｓｓａｇｅ４が送信される場合の例を示すが、これは一例に過ぎない。本実施の形態に係る技術は、Ｍｅｓｓａｇｅ３とＭｅｓｓａｇｅ４が送信されない場合のランダムアクセス手順にも適用できる。
【００２５】
図３は、マルチビーム運用がされる場合において、ユーザ装置１０がビームを選択する場合の例を示す図である。図３の例では、基地局２０は、Ａ、Ｂ、Ｃ、Ｄで示される４つの送信ビームのそれぞれで、ＳＳＢを送信する。例えば、ビームＡでＳＳＢ−Ａが送信され、ビームＢでＳＳＢ−Ｂが送信され、ビームＣでＳＳＢ−Ｃが送信され、ビームＤでＳＳＢ−Ｄが送信される。
【００２６】
ユーザ装置１０は、例えば受信電力の最も高いＳＳＢ及び／又はＳＮ比が高いＳＳＢを選択し、当該ＳＳＢのインデックスに紐付けられたリソースＢでＲＡ  ｐｒｅａｍｂｌｅを送信する。なお、ＲＡ  ｐｒｅａｍｂｌｅを送信するリソースをＲＡＣＨ  ｏｃｃａｓｉｏｎと称してもよい。その後、例えば、基地局２０は、リソースＢでＲＡ  ｐｒｅａｍｂｌｅを受信したことにより、ユーザ装置１０への送信ビームとして送信ビームＢが選択されたことを把握し、例えば、送信ビームＢを用いてＲＡ  ｒｅｓｐｏｎｓｅを送信する。ＳＳＢ（ビーム）とＲＡＣＨ  ｏｃｃａｓｉｏｎとの関係は事前にユーザ装置１０に通知される。
【００２７】
ＮＲ同期信号は、プライマリ同期信号（ＰＳＳ：  Ｐｒｉｍａｒｙ  Ｓｙｎｃｈｒｏｎｉｚａｔｉｏｎ  Ｓｉｇｎａｌ）とセカンダリ同期信号（ＳＳＳ：  Ｓｅｃｏｎｄａｒｙ  Ｓｙｎｃｈｒｏｎｉｚａｔｉｏｎ  Ｓｉｇｎａｌ）の２つの信号から構成される。ユーザ装置１０は、プライマリ同期信号を検出することでセルＩＤインデックスを取得し、セカンダリ同期信号を検出することでセルＩＤグループインデックスを取得する。その後、ユーザ装置１０は、取得したセルＩＤインデックス及びセルＩＤグループインデックスを用いて、物理セルＩＤ（ＰＣＩＤ）を算出することができる。物理セルＩＤは、物理的なセルの識別子であり、ＬＴＥでは５０４通りのＩＤが用いられ、ＮＲでは１００８通りのＩＤが用いられる。
【００２８】
（ＩＡＢノードのランダムアクセスについて）
３ＧＰＰ会合における合意事項として、ＩＡＢノード（中継基地局と呼ばれてもよい）は、他のＩＡＢノード（ドナー基地局と呼ばれてもよい）に対して、ユーザ装置が当該他のＩＡＢノードに接続する場合に行う初期アクセス手順と同様の初期アクセス手順（ランダムアクセス手順を含む）を行ってもよいとされている。例えば、図１に示される中継基地局２０とドナー基地局３０との間の無線バックホールリンクを設定する場合において、中継基地局２０は、ドナー基地局３０との間で、図２及び図３を参照して説明した上述のランダムアクセス手順を実行してもよい。この場合において、中継基地局２０はユーザ装置１０と同様の手順を実行し、ドナー基地局３０は基地局２０と同様の手順を実行してもよい。
【００２９】
（課題について）
図１に示すようなシステム構成において、中継基地局２０とドナー基地局３０とが、共通の物理セルＩＤを有すると仮定する。すなわち、中継基地局２０が送信する同期信号から検出される物理セルＩＤと、ドナー基地局３０が送信する同期信号から検出される物理セルＩＤとが同一であると仮定する。中継基地局２０又はドナー基地局３０に接続しようとするユーザ装置１０（又は中継基地局２０及びドナー基地局３０以外のＩＡＢノード）は、ＳＳ／ＰＢＣＨブロックを受信する。この場合、ユーザ装置１０は、中継基地局２０の物理セルＩＤとドナー基地局３０の物理セルＩＤとが同一であるため、受信したＳＳ／ＰＢＣＨブロックが、中継基地局２０から送信されたＳＳ／ＰＢＣＨブロックであるか、或いはドナー基地局３０から送信されたＳＳ／ＰＢＣＨブロックであるか、判定することができない。この場合におけるランダムアクセス手順を明確化することが必要とされている。
【００３０】
以下において、１例として、図１に示されるようなユーザ装置１０、中継基地局２０、及びドナー基地局３０で構成されるシステムにおけるランダムアクセス手順を説明する。しかしながら、システムの構成は、図１に示される構成には限定されない。つまり、以下において説明するランダムアクセス手順は、どのような親ノード、子ノード（ｄｏｎｏｒ／ＩＡＢ  ｎｏｄｅ、ａｃｃｅｓｓ  ＵＥ）の組み合わせ（シングルホップと呼ばれてもよい）に対して適用されてもよく、３ノード以上の場合（マルチホップと呼ばれてもよい）に適用されてもよい。ここで、３ノード以上の場合とは、例えば、親ノード、子ノード、孫ノードのような関係でもよく、２つの親ノードと１つの子ノードという関係でもよく、或いは１つの親ノードと２つの子ノードという関係でもよい。特に、ユーザ装置１０は、ＩＡＢノードであってもよい。
【００３１】
（ＳＳ／ＰＢＣＨブロック検出後のＭｓｇ１の送信について）
以下図４を参照して、ランダムアクセス手順のいくつかの例を説明する。ステップＳ１０１において、中継基地局２０は、ドナー基地局３０との間の無線バックホールリンクを設定する。
【００３２】
ステップＳ１０２で中継基地局２０から送信されたＳＳ／ＰＢＣＨブロック、及びステップＳ１０２'でドナー基地局３０から送信されたＳＳ／ＰＢＣＨブロックを受信したユーザ装置１０は、受信したＳＳ／ＰＢＣＨブロックが、中継基地局２０から送信されたＳＳ／ＰＢＣＨブロックであるか、或いはドナー基地局３０から送信されたＳＳ／ＰＢＣＨブロックであるかを区別せずに、Ｍｅｓｓａｇｅ１（Ｍｓｇ１（＝Ｒａｎｄｏｍ  Ａｃｃｅｓｓ（ＲＡ）  ｐｒｅａｍｂｌｅ））を送信してもよい。例えば、ユーザ装置１０は、受信したＳＳ／ＰＢＣＨブロックが、中継基地局２０から送信されたＳＳ／ＰＢＣＨブロックであるか、或いはドナー基地局３０から送信されたＳＳ／ＰＢＣＨブロックであるかを区別せずに、例えば、受信した複数のＳＳ／ＰＢＣＨブロックのうち、受信電力の最も高いＳＳ／ＰＢＣＨブロック及び／又はＳＮ比が高いＳＳ／ＰＢＣＨブロックを選択し（受信電力の最も高いＳＳ／ＰＢＣＨブロック及び／又はＳＮ比が高いＳＳ／ＰＢＣＨブロックのインデックスを特定し）、当該ＳＳ／ＰＢＣＨブロックのインデックスに紐付けられたリソースでＲＡ  ｐｒｅａｍｂｌｅを送信してもよい。この場合において、ＲＡ  ｐｒｅａｍｂｌｅを送信するための送信リソース、ＲＡ  ｐｒｅａｍｂｌｅを送信する際の送信電力、ＲＡ  ｐｒｅａｍｂｌｅを送信する送信ビーム等が、選択されたＳＳ／ＰＢＣＨブロックに基づいて定められてもよい。この場合において、同じＳＳ／ＰＢＣＨブロックのインデックスに対して、実際には、異なるＳＳ／ＰＢＣＨブロック（中継基地局２０から送信されたＳＳ／ＰＢＣＨブロック及びドナー基地局３０から送信されたＳＳ／ＰＢＣＨブロック）が存在し得る。同じＳＳ／ＰＢＣＨブロックのインデックスに対して、異なる複数のＳＳ／ＰＢＣＨブロックが存在する場合には、異なる複数のＳＳ／ＰＢＣＨブロック全てを使用して、ＲＡ  ｐｒｅａｍｂｌｅを送信するための送信リソース、ＲＡ  ｐｒｅａｍｂｌｅを送信する際の送信電力、ＲＡ  ｐｒｅａｍｂｌｅを送信する送信ビームを決定してもよい。或いは、異なる複数のＳＳ／ＰＢＣＨブロックのうち、あるタイミングで受信されたＳＳ／ＰＢＣＨブロック（例えば、最も早いタイミングで受信されたＳＳ／ＰＢＣＨブロック）だけを使用して、ＲＡ  ｐｒｅａｍｂｌｅを送信するための送信リソース、ＲＡ  ｐｒｅａｍｂｌｅを送信する際の送信電力、ＲＡ  ｐｒｅａｍｂｌｅを送信する送信ビームを決定してもよい。
【００３３】
（Ｍｓｇ２の送信について）
図４のステップＳ１０３及びＳ１０３'に示すように、ユーザ装置１０から送信されたＲＡ  ｐｒｅａｍｂｌｅは、中継基地局２０及びドナー基地局３０の両方において受信される可能性がある。従って、ＲＡ  ｐｒｅａｍｂｌｅを受信したことに応答して、中継基地局２０及びドナー基地局３０がどのようにＭｓｇ２を送信するかを明確化することが必要である。ここで、中継基地局２０及びドナー基地局３０のうちの一方のノードのみがＲＡ  ｐｒｅａｍｂｌｅを受信した場合において、中継基地局２０及びドナー基地局３０の間で、ＲＡ  ｐｒｅａｍｂｌｅの受信に関する情報のやり取りを行わない場合には、中継基地局２０及びドナー基地局３０のうちの他方のノードは、当該一方のノードがＲＡ  ｐｒｅａｍｂｌｅを受信したか否かを知ることができない。
【００３４】
以下、図４のように、中継基地局２０とドナー基地局３０との間に無線バックホールリンクが設定されている場合、すなわち、中継基地局２０とドナー基地局３０とが接続中の場合（例えば、ｃｏｎｎｅｃｔｅｄ  ｍｏｄｅと呼ばれてもよい）のＭｓｇ２の送信方法について説明する。
【００３５】
（第１の例）
第１の例では、中継基地局２０及びドナー基地局３０の間で、ＲＡ  ｐｒｅａｍｂｌｅの受信に関する情報のやり取りを行い、どちらがＭｓｇ２を送信するかを決定した後に、Ｍｓｇ２を送信する。ここで、中継基地局２０とドナー基地局３０との間でやりとりされる情報の例としては、ＲＡ  ｐｒｅａｍｂｌｅを受信したか否かについての情報、受信したＲＡ  ｐｒｅａｍｂｌｅを識別する情報（例えば、ｐｒｅａｍｂｌｅ  ＩＤ又は受信したリソース位置等に基づくＲａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ（ＲＡ−ＲＮＴＩ））、Ｔｉｍｉｎｇ  Ａｄｖａｎｃｅ（ＴＡ）値（ドナー基地局３０及びユーザ装置１０の間のＴＡ値、ドナー基地局３０及び中継基地局２０の間のＴＡ値、中継基地局２０及びユーザ装置１０の間のＴＡ値のうちのいずれであってもよい）、ＲＡ  ｐｒｅａｍｂｌｅの受信強度や受信品質、等が考えられる。第１の例では、上記の情報に基づいて、中継基地局２０及びドナー基地局３０のうち、どちらのノードからＭｓｇ２を送信するのが適切であるかを判定し、判定結果に基づいて、中継基地局２０及びドナー基地局３０のうちのいずれか１つのノードを選択し、選択したノードからＭｓｇ２が送信される。ここで、中継基地局２０及びドナー基地局３０のうち、どちらのノードからＭｓｇ２を送信するのが適切であるかの判定は、ドナー基地局３０において行ってもよく、或いは中継基地局２０において行ってもよい。例えば、中継基地局２０とドナー基地局３０との間でＴＡ値がやり取りされる場合には、ドナー基地局３０とユーザ装置１０との間のＴＡ値と、中継基地局２０とユーザ装置１０との間のＴＡ値とを比較して、ＴＡ値が小さい方のノードを、Ｍｓｇ２を送信するノードとして選択してもよい。ＴＡ値を比較することにより、ユーザ装置１０が中継基地局２０のより近くに位置しているか、又はドナー基地局３０のより近くに位置しているかを推定することが可能となる。
【００３６】
なお、マルチホップの中継を行う場合において、隣接するノード間のみで情報をやりとりする等、情報を伝達する範囲に制限を設けてもよい。また、あるノードが第１の隣接ノードと情報のやり取りをする際に、当該ノードは、第２の隣接ノードから得た情報を当該ノード自身が得た情報と組み合わせた上で、組み合わせることで得られた情報の中で、第１のノードに通知する情報を選択してもよい。例えば、ノードは、第２の隣接ノードから得たＴＡ値と当該ノード自身で測定したＴＡ値を比較して、小さい方のＴＡ値を第１の隣接ノードに通知してもよい。上述の第１の例は、ドナー基地局３０とユーザ装置１０との間のＴＡ値と、中継基地局２０とユーザ装置１０との間のＴＡ値とを比較して、ＴＡ値が小さい方のノードを、Ｍｓｇ２を送信するノードとして選択する例には限定されない。例えば、複数のノードで測定することにより得られた複数ＴＡ値のうち、何らかの基準により最適であると判断されるＴＡ値を測定したノードを、Ｍｓｇ２を送信するノードとして選択してもよい。
【００３７】
（第２の例）
第２の例では、中継基地局２０及びドナー基地局３０のうち、ドナー基地局３０がＲＡ  ｐｒｅａｍｂｌｅを受信した場合には、ドナー基地局３０が優先的に、Ｍｓｇ２を送信する。この場合において、例えば、中継基地局２０とドナー基地局３０との間で、ＲＡ  ｐｒｅａｍｂｌｅを受信したか否かについての情報及び受信したＲＡ  ｐｒｅａｍｂｌｅを識別する情報等がやり取りされてもよい。中継基地局２０及びドナー基地局３０が同じＲＡ  ｐｒｅａｍｂｌｅを受信したと判定される場合には、ドナー基地局３０がＭｓｇ２を送信し、中継基地局２０はＭｓｇ２を送信しなくてもよい。また、中継基地局２０がＲＡ  ｐｒｅａｍｂｌｅを受信しているが、ドナー基地局３０がＲＡ  ｐｒｅａｍｂｌｅを受信していない場合には、中継基地局２０がＭｓｇ２を送信してもよい。別の例として、ドナー基地局３０は、ＲＡ  ｐｒｅａｍｂｌｅを受信したことに応答して、即座にＭｓｇ２を送信してもよい。第２の例では、より少ないホップ数（ユーザ装置１０が中継基地局２０に接続された場合は２ホップであるのに対して、ユーザ装置１０がドナー基地局３０に接続された場合は１ホップとなる）でランダムアクセス手順を進めることが可能となる。第２の例の変形例として、中継基地局２０がドナー基地局３０のセルのエッジに設けられている場合であって、ユーザ装置１０が当該セルエッジにてランダムアクセス手順を行う場合には、ユーザ装置１０から送信される信号のドナー基地局３０における受信レベルは低いと考えられるため、中継基地局２０及びドナー基地局３０のうち、中継基地局２０がＲＡ  ｐｒｅａｍｂｌｅを受信した場合には、中継基地局２０が優先的に、Ｍｓｇ２を送信することとしてもよい。この場合、ＴＡ値の比較により、ユーザ装置１０がセルエッジにてランダムアクセス手順を行っていることを推定することが可能である。
【００３８】
（第３の例）
第３の例では、中継基地局２０及びドナー基地局３０のうち、先にＲＡ  ｐｒｅａｍｂｌｅを受信したノードがＭｓｇ２を送信する。この場合において、例えば、中継基地局２０とドナー基地局３０との間で、ＲＡ  ｐｒｅａｍｂｌｅを受信したか否かについての情報及び受信したＲＡ  ｐｒｅａｍｂｌｅを識別する情報等がやり取りされてもよい。また、例えば、中継基地局２０及びドナー基地局３０のうち、先にＲＡ  ｐｒｅａｍｂｌｅを受信したノードが他方のノードに対して、ＲＡ  ｐｒｅａｍｂｌｅを受信したことを伝えることで、当該他方のノードがＭｓｇ２を送信しないこととしてもよい。第３の例によれば、ランダムアクセス手順において、処理を、できるだけ早くＭｓｇ２の送信手順に移行させることができる。
【００３９】
（第４の例）
第４の例では、中継基地局２０及びドナー基地局３０の両方が、ＲＡ  ｐｒｅａｍｂｌｅを受信して、中継基地局２０及びドナー基地局３０の両方がＭｓｇ２を送信する。この場合において、ユーザ装置１０で最初のＭｓｇ２を受信した後、ユーザ装置１０において引き続きＭｓｇ２の受信（サーチ）を続けるか否かを示すＦｌａｇ情報が、ユーザ装置１０に通知されてもよい。上記のＦｌａｇ情報は、Ｍｓｇ２内に含まれていてもよく、或いは、事前に中継基地局２０又はドナー基地局３０からの報知、シグナリング等により通知されていてもよい。
【００４０】
上述の、中継基地局２０及びドナー基地局３０の両方がＭｓｇ２を送信する場合において、ユーザ装置１０（ＩＡＢノードであってもよい）は、時間に関して先に受信したＭｓｇ２を用いて、その後の送信（Ｍｓｇ３の送信又はＰｈｙｓｉｃａｌ  Ｕｐｌｉｎｋ  Ｓｈａｒｅｄ  Ｃｈａｎｎｅｌ（ＰＵＳＣＨ）を介しての上りデータ通信）を行ってもよい。
【００４１】
中継基地局２０及びドナー基地局３０の両方がＭｓｇ２を送信する場合において、代替的に、ユーザ装置１０は、Ｍｓｇ２の内容を判定して、使用するＭｓｇ２を選択して、選択したＭｓｇ２を用いて、その後の送信（Ｍｓｇ３の送信又はＰＵＳＣＨを介しての上りデータ通信）を行ってもよい。ここで、ユーザ装置１０が、受信したＭｓｇ２のうち、どちらのＭｓｇ２を使用するかを判定する際に使用する情報として、Ｍｓｇ２内に含まれるＴＡ値やＵＬ  ｇｒａｎｔ情報を用いてもよい。例えば、ユーザ装置１０は、ＴＡ値を比較して、より小さいＴＡ値を含むＭｓｇ２を使用すると判定してもよい。また、ユーザ装置１０は、ＵＬ  ｇｒａｎｔ情報を比較し、時間方向に関して、より早いタイミングのスケジューリング情報を含むＭｓｇ２を使用すると判定してもよい。追加的又は代替的に、ユーザ装置１０は、ＵＬ  ｇｒａｎｔ情報を比較し、周波数方向に割り当てられるリソースの大きさがより小さいＵＬ  ｇｒａｎｔ情報を含むＭｓｇ２を使用すると判定してもよく、この場合には、ユーザ装置１０はより遠くに上りのデータを送信することが可能となる。或いは、Ｍｓｇ２の中に、中継基地局２０から送信されたＭｓｇ２とドナー基地局３０から送信されたＭｓｇ２との間で、どちらを優先するかに関する優先順位を示す情報が含まれていてもよく、この場合には、ユーザ装置１０は、Ｍｓｇ２に含まれる優先順位を示す情報に従って、使用するＭｓｇ２を決定してもよい。
【００４２】
中継基地局２０及びドナー基地局３０の両方がＭｓｇ２を送信する場合において、代替的に、ユーザ装置１０は、Ｍｓｇ２の受信電力（例えば、ＲＳＲＰ）、受信品質（例えば、ＲＳＲＱ）等に基づいて、受信したＭｓｇ２のうち、どちらのＭｓｇ２を使用するかを選択し、選択したＭｓｇ２を使用して、その後の送信（Ｍｓｇ３の送信又はＰＵＳＣＨを介しての上りデータ通信）を行ってもよい。使用するＭｓｇ２を選択する際に、受信電力を用いるのか、受信品質を用いるのか等の判断基準は、ユーザ装置１０に事前に通知されていてもよく、或いは仕様書等で規定されていてもよい。また、Ｍｓｇ２が中継基地局２０又はドナー基地局３０から複数回送信される場合において、ユーザ装置１０において単一のＭｓｇ２を使用して受信電力、受信品質等の測定行うのか、或いは複数回受信されたＭｓｇ２を合成して受信電力、受信品質等の測定行うのか、といった受信品質等の測定方法については、ユーザ装置に事前に通知されていてもよく、或いは仕様書等で規定されていてもよい。
【００４３】
中継基地局２０及びドナー基地局３０の両方がＭｓｇ２を送信する場合において、代替的に、ユーザ装置１０は、中継基地局２０及びドナー基地局３０の両方からＭｓｇ２を受信したことに応答して、中継基地局２０から受信したＭｓｇ２を使用して、その後の送信（Ｍｓｇ３の送信又はＰＵＳＣＨを介しての上りデータ通信）を行い、かつドナー基地局３０から受信したＭｓｇ２を使用して、その後の送信（Ｍｓｇ３の送信又はＰＵＳＣＨを介しての上りデータ通信）を行ってもよい。
【００４４】
（他の実施例）
図４に示す例では、中継基地局２０とドナー基地局３０との間に無線バックホールリンクが設定されていることが想定されている。しかしながら、中継基地局２０とドナー基地局３０との間の無線バックホールリンクが一旦未接続となることも想定される。この場合には、中継基地局２０からドナー基地局３０に対して、ランダムアクセス手順を行ってもよい。この場合のランダムアクセス手順としては、上述の図４を参照して説明したランダムアクセス手順を適用することができる。
【００４５】
中継基地局２０とドナー基地局３０との間の無線バックホールリンクが未接続となっている状態において、例えば、ユーザ装置１０が中継基地局２０に対してＲＡ  ｐｒｅａｍｂｌｅを送信した場合であって、かつドナー基地局３０からユーザ装置１０に対してＭｓｇ２が送信されない場合（ＲＡ  ｐｒｅａｍｂｌｅがドナー基地局３０に届かない場合等）において、中継基地局２０は、ドナー基地局３０との間の無線バックホールリンクを設定した後に、ユーザ装置１０とのランダムアクセス手順を行ってもよい。代替的に、中継基地局２０とドナー基地局３０との間の無線バックホールリンクが未接続となっている状態において、例えば、ユーザ装置１０が中継基地局２０に対してＲＡ  ｐｒｅａｍｂｌｅを送信した場合であって、かつドナー基地局３０からユーザ装置１０に対してＭｓｇ２が送信されない場合において、中継基地局２０は、ドナー基地局３０との間の無線バックホールリンクを設定するためのランダムアクセス手順を実施しながら、それと並行して、ユーザ装置１０とのランダムアクセス手順を実施してもよい。
【００４６】
また、中継基地局２０とドナー基地局３０との間の無線バックホールリンクが未接続となっている状態において、例えば、中継基地局２０がＲＡ  ｐｒｅａｍｂｌｅを受信した場合、中継基地局２０は、ドナー基地局３０との間の無線バックホールリンクを設定した後に、ユーザ装置１０とのランダムアクセス手順を行ってもよい。代替的に、中継基地局２０とドナー基地局３０との間の無線バックホールリンクが未接続となっている状態において、例えば、中継基地局２０がＲＡ  ｐｒｅａｍｂｌｅを受信した場合、中継基地局２０は、ドナー基地局３０との間の無線バックホールリンクを設定するためのランダムアクセス手順を実施しながら、それと並行して、ユーザ装置１０とのランダムアクセス手順を実施してもよい。
【００４７】
（装置構成）
次に、これまでに説明した処理動作を実行するユーザ装置１０、中継基地局２０、及びドナー基地局３０の機能構成例を説明する。ユーザ装置１０、中継基地局２０、及びドナー基地局３０は、本実施の形態で説明した全ての機能を備えている。ただし、ユーザ装置１０、中継基地局２０、及びドナー基地局３０は、本実施の形態で説明した全ての機能のうちの一部のみの機能を備えてもよい。なお、ユーザ装置１０、中継基地局２０、及びドナー基地局３０を総称して通信装置と称してもよい。
【００４８】
＜ユーザ装置＞
図５は、ユーザ装置１０の機能構成の一例を示す図である。図５に示すように、ユーザ装置１０は、送信部１１０と、受信部１２０と、制御部１３０と、データ格納部１４０を有する。図５に示す機能構成は一例に過ぎない。本実施の形態に係る動作を実行できるのであれば、機能区分及び機能部の名称はどのようなものでもよい。なお、送信部１１０を送信機と称し、受信部１２０を受信機と称してもよい。
【００４９】
送信部１１０は、送信データから送信を作成し、当該送信信号を無線で送信する。また、送信部１１０は、１つ又は複数のビームを形成することができる。受信部１２０は、各種の信号を無線受信し、受信した物理レイヤの信号からより上位のレイヤの信号を取得する。また、受信部１２０は受信する信号の測定を行って、受信電力等を取得する測定部を含む。
【００５０】
制御部１３０は、ユーザ装置１０の制御を行う。なお、送信に関わる制御部１３０の機能が送信部１１０に含まれ、受信に関わる制御部１３０の機能が受信部１２０に含まれてもよい。データ格納部１４０には、例えば、設定情報等が格納される。なお、送信に関わる設定情報が送信部１１０に格納され、受信に関わる設定情報が受信部１２０に格納されることとしてもよい。
【００５１】
例えば、受信部１２０は、中継基地局２０及びドナー基地局３０から送信されるＳＳ／ＰＢＣＨブロックを受信するように構成され、制御部１３０は、ＳＳ／ＰＢＣＨブロックのインデックスに基づき、メッセージ１の送信リソースの位置を決定するように構成される。送信部１１０は、制御部１３０の制御に基づいて、決定されたメッセージ１の送信リソースの位置で、メッセージ１を送信するように構成される。
【００５２】
例えば、制御部１３０は、受信したＳＳ／ＰＢＣＨブロックが、中継基地局２０から送信されたＳＳ／ＰＢＣＨブロックであるか、或いはドナー基地局３０から送信されたＳＳ／ＰＢＣＨブロックであるかを区別せずに、例えば、受信した複数のＳＳ／ＰＢＣＨブロックのうち、受信電力の最も高いＳＳ／ＰＢＣＨブロック及び／又はＳＮ比が高いＳＳ／ＰＢＣＨブロックを選択し（受信電力の最も高いＳＳ／ＰＢＣＨブロック及び／又はＳＮ比が高いＳＳ／ＰＢＣＨブロックのインデックスを特定し）、当該ＳＳ／ＰＢＣＨブロックのインデックスに紐付けられた送信リソースの位置を、ＲＡ  ｐｒｅａｍｂｌｅを送信する送信リソースの位置と決定するように構成されてもよい。
【００５３】
また、例えば、制御部１３０は、同じＳＳ／ＰＢＣＨブロックのインデックスに対して、異なる複数のＳＳ／ＰＢＣＨブロックが存在する場合には、異なる複数のＳＳ／ＰＢＣＨブロック全てを使用して、ＲＡ  ｐｒｅａｍｂｌｅを送信するための送信リソース、ＲＡ  ｐｒｅａｍｂｌｅを送信する際の送信電力、ＲＡ  ｐｒｅａｍｂｌｅを送信する送信ビームを決定してもよい。代替的に、制御部１３０は、異なる複数のＳＳ／ＰＢＣＨブロックのうち、あるタイミングで受信されたＳＳ／ＰＢＣＨブロック（例えば、最も早いタイミングで受信されたＳＳ／ＰＢＣＨブロック）だけを使用して、ＲＡ  ｐｒｅａｍｂｌｅを送信するための送信リソース、ＲＡ  ｐｒｅａｍｂｌｅを送信する際の送信電力、ＲＡ  ｐｒｅａｍｂｌｅを送信する送信ビームを決定してもよい。
【００５４】
例えば、受信部１２０は、中継基地局２０及びドナー基地局３０の両方からＭｓｇ２を受信してもよい。この場合、例えば、制御部１３０は、時間に関して先に受信したＭｓｇ２を、その後の送信（Ｍｓｇ３の送信又はＰｈｙｓｉｃａｌ  Ｕｐｌｉｎｋ  Ｓｈａｒｅｄ  Ｃｈａｎｎｅｌ（ＰＵＳＣＨ）を介しての上りデータ通信）に用いると判定してもよい。
【００５５】
代替的に、制御部１３０は、Ｍｓｇ２の内容を判定して、その後の送信に使用するＭｓｇ２を選択してもよい。ここで、制御部１３０は、受信したＭｓｇ２のうち、どちらのＭｓｇ２を使用するかを判定する際に使用する情報として、Ｍｓｇ２内に含まれるＴＡ値やＵＬ  ｇｒａｎｔ情報を用いてもよい。例えば、制御部１３０は、ＴＡ値を比較して、より小さいＴＡ値を含むＭｓｇ２を使用すると判定してもよい。また、制御部１３０は、ＵＬ  ｇｒａｎｔ情報を比較し、時間方向に関して、より早いタイミングのスケジューリング情報を含むＭｓｇ２を使用すると判定してもよい。追加的又は代替的に、制御部１３０は、ＵＬ  ｇｒａｎｔ情報を比較し、周波数方向に割り当てられるリソースの大きさがより小さいＵＬ  ｇｒａｎｔ情報を含むＭｓｇ２を使用すると判定してもよい。或いは、Ｍｓｇ２の中に、中継基地局２０から送信されたＭｓｇ２とドナー基地局３０から送信されたＭｓｇ２との間で、どちらを優先するかに関する優先順位を示す情報が含まれていてもよく、この場合には、制御部１３０は、Ｍｓｇ２に含まれる優先順位を示す情報に従って、使用するＭｓｇ２を決定してもよい。
【００５６】
代替的に、制御部１３０は、Ｍｓｇ２の受信電力（例えば、ＲＳＲＰ）、受信品質（例えば、ＲＳＲＱ）等に基づいて、受信したＭｓｇ２のうち、どちらのＭｓｇ２を使用するかを選択してもよい。
【００５７】
代替的に、制御部１３０は、受信部１２０が中継基地局２０及びドナー基地局３０の両方からＭｓｇ２を受信したことに応答して、その後の送信に中継基地局２０から受信したＭｓｇ２を使用し、かつドナー基地局３０から受信したＭｓｇ２を使用すると判定してもよい。
【００５８】
＜中継基地局２０、ドナー基地局３０＞
図６は、中継基地局２０及びドナー基地局３０の機能構成の一例を示す図である。図６に示すように、中継基地局２０及びドナー基地局３０は、それぞれ、送信部２１０と、受信部２２０と、制御部２３０と、データ格納部２４０を有する。図６に示す機能構成は一例に過ぎない。本実施の形態に係る動作を実行できるのであれば、機能区分及び機能部の名称はどのようなものでもよい。なお、送信部２１０を送信機と称し、受信部２２０を受信機と称してもよい。
【００５９】
送信部２１０は、ユーザ装置１０側に送信する信号を生成し、当該信号を無線で送信する機能を含む。また、送信部２１０は、１つ又は複数のビームを形成する。受信部２２０は、ユーザ装置１０から送信された各種の信号を受信し、受信した信号から、例えばより上位のレイヤの情報を取得する機能を含む。また、受信部２２０は受信する信号の測定を行って、受信電力等を取得する測定部を含む。
【００６０】
制御部２３０は、基地局２０の制御を行う。なお、送信に関わる制御部２３０の機能が送信部２１０に含まれ、受信に関わる制御部２３０の機能が受信部２２０に含まれてもよい。データ格納部２４０には、例えば、設定情報等が格納される。なお、送信に関わる設定情報が送信部２１０に格納され、受信に関わる設定情報が受信部２２０に格納されることとしてもよい。
【００６１】
例えば、中継基地局２０の送信部２１０及び受信部２２０は、ドナー基地局３０の送信部２１０及び受信部２２０との間で、無線バックホールリンクの通信を行うように構成されてもよい。
【００６２】
例えば、中継基地局２０の送信部２１０及び受信部２２０は、ドナー基地局３０の送信部２１０及び受信部２２０との間で、ＲＡ  ｐｒｅａｍｂｌｅの受信に関する情報のやり取りを行い、中継基地局２０又はドナー基地局３０の制御部２３０は、どちらがＭｓｇ２を送信するかを決定してもよい。
【００６３】
例えば、中継基地局２０の送信部２１０及び受信部２２０が、ドナー基地局３０の送信部２１０及び受信部２２０との間で、ＴＡ値をやり取りする場合には、中継基地局２０又はドナー基地局３０の制御部２３０は、ドナー基地局３０とユーザ装置１０との間のＴＡ値と、中継基地局２０とユーザ装置１０との間のＴＡ値とを比較して、ＴＡ値が小さい方のノードを、Ｍｓｇ２を送信するノードとして選択してもよい。
【００６４】
例えば、中継基地局２０の受信部２２０及びドナー基地局３０の受信部２２０が、ＲＡ  ｐｒｅａｍｂｌｅを受信した場合において、中継基地局２０の制御部２３０及びドナー基地局３０の制御部２３０は、ドナー基地局が優先的に、Ｍｓｇ２を送信すると判定するように構成されてもよい。
【００６５】
例えば、中継基地局２０の制御部２３０及びドナー基地局３０の制御部２３０は、先にＲＡ  ｐｒｅａｍｂｌｅを受信したノードがＭｓｇ２を送信すると判定するように構成されてもよい。
【００６６】
例えば、中継基地局２０及びドナー基地局３０の両方が、ＲＡ  ｐｒｅａｍｂｌｅを受信した場合に、中継基地局２０の制御部２３０及びドナー基地局３０の制御部２３０は、中継基地局２０及びドナー基地局３０の両方がＭｓｇ２を送信すると判定するように構成されてもよい。この場合において、中継基地局２０の制御部２３０及びドナー基地局３０の制御部２３０は、ユーザ装置１０で最初のＭｓｇ２を受信した後、ユーザ装置１０において引き続きＭｓｇ２の受信（サーチ）を続けるか否かを示すＦｌａｇ情報をＭｓｇ２に含めるように構成されてもよい。
【００６７】
＜ハードウェア構成＞
上記実施の形態の説明に用いたブロック図（図５〜図６）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６８】
また、例えば、本発明の一実施の形態におけるユーザ装置１０、中継基地局２０、及びドナー基地局３０はいずれも、本実施の形態に係る処理を行うコンピュータとして機能してもよい。図７は、本実施の形態に係るユーザ装置１０、中継基地局２０、及びドナー基地局３０のハードウェア構成の一例を示す図である。上述のユーザ装置１０、中継基地局２０、及びドナー基地局３０はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００６９】
なお、以下の説明では、「装置」という文言は、回路、デバイス、ユニットなどに読み替えることができる。ユーザ装置１０、中継基地局２０、及びドナー基地局３０のハードウェア構成は、図に示した１００１〜１００６で示される各装置を１つ又は複数含むように構成されてもよいし、一部の装置を含まずに構成されてもよい。
【００７０】
ユーザ装置１０、中継基地局２０、及びドナー基地局３０における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００７１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００７２】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、図５に示したユーザ装置１０の送信部１１０、受信部１２０、制御部１３０、データ格納部１４０は、メモリ１００２に格納され、プロセッサ１００１で動作する制御プログラムによって実現されてもよい。また、例えば、図６に示した中継基地局２０及びドナー基地局３０それぞれにおける、送信部２１０と、受信部２２０と、制御部２３０、データ格納部２４０は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７３】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【００７４】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置１０の送信部１１０及び受信部１２０は、通信装置１００４で実現されてもよい。また、中継基地局２０及びドナー基地局３０それぞれの送信部２１０及び受信部２２０は、通信装置１００４で実現されてもよい。
【００７６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００７７】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００７８】
また、ユーザ装置１０、中継基地局２０、及びドナー基地局３０はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７９】
（実施の形態のまとめ）
以上、説明したように、本実施の形態により、ランダムアクセスプリアンブルを送信する送信部と、複数のランダムアクセスレスポンスを受信する受信部と、前記受信部が受信した複数のランダムアクセスレスポンスのうちのいずれを用いて、データの送信を行うかを選択する制御部とを備える、ユーザ装置が提供される。
【００８０】
このように、中継基地局とドナー基地局との間に同一のセルＩＤが割り当てられ、中継基地局２０から送信されたＳＳ／ＰＢＣＨブロックと、ドナー基地局３０から送信されたＳＳ／ＰＢＣＨブロックとを区別できない場合において、ユーザ装置から送信されたランダムアクセスプリアンブルは、中継基地局とドナー基地局の両方が受信する可能性があり、この場合、中継基地局がランダムアクセスレスポンスを送信し、かつドナー基地局がランダムアクセスレスポンスを送信する可能性がある。このように、複数のランダムアクセスレスポンスを受信した場合に、ユーザ装置の制御部は、複数のランダムアクセスレスポンスのうちのいずれを用いて、データの送信を行うのかを定めることができるので、中継基地局とドナー基地局との間にバックホールリンクが設定されている場合のランダムアクセス手順が明確化される。
【００８１】
ユーザ装置の制御部は、受信部が受信した複数のランダムアクセスレスポンスのうち、時間に関して最も先に受信したランダムアクセスレスポンスを選択してもよい。これにより、中継基地局とドナー基地局との間にバックホールリンクが設定されている場合のランダムアクセス手順を実行するのに必要となる時間を短縮できる。
【００８２】
ユーザ装置の制御部は、受信部が受信した複数のランダムアクセスレスポンスのうちの各ランダムアクセスレスポンスに含まれるタイミングアドバンス値を比較して、最少のタイミングアドバンス値を検出し、該最少のタイミングアドバンス値を含むランダムアクセスレスポンスを選択してもよい。タイミングアドバンス値が最小となるノードから送信されたランダムアクセスレスポンスを用いて、データの送信を行うと判定することにより、ユーザ装置は、当該ユーザ装置のより近くに位置するノードと接続することが可能となる。
【００８３】
ユーザ装置の制御部は、受信部が受信した複数のランダムアクセスレスポンスのうちの各ランダムアクセスレスポンスに含まれるスケジューリング情報を比較して、時間に関して最も早い上り送信タイミングを含むスケジューリング情報を検出し、該最も早い上り送信タイミングを含むスケジューリング情報を含むランダムアクセスレスポンスを選択してもよい。これにより、ランダムアクセス手順によるデータ送信の遅延を削減できる。
【００８４】
ユーザ装置の制御部は、受信部が受信した複数のランダムアクセスレスポンスのうちの各ランダムアクセスレスポンスに含まれるスケジューリング情報を比較して、周波数方向のサイズが最小となるリソースの割り当て情報を含むスケジューリング情報を検出し、該周波数方向のサイズが最小となるリソースの割り当て情報を含むスケジューリング情報を含むランダムアクセスレスポンスを選択してもよい。この場合には、周波数方向のサイズが大きいことによる、データを送信するための送信電力の低下を抑制することが可能となり、ユーザ装置は、より遠くに上りのデータを送信することが可能となる。
【００８５】
また、本実施の形態により、ランダムアクセスプリアンブルを送信するステップと、複数のランダムアクセスレスポンスを受信するステップと、前記受信した複数のランダムアクセスレスポンスのうちのいずれを用いて、データの送信を行うかを選択するステップとを備える、通信方法が提供される。この通信方法によれば、複数のランダムアクセスレスポンスを受信した場合に、複数のランダムアクセスレスポンスのうちのいずれを用いて、データの送信を行うのかを定めることができるので、中継基地局とドナー基地局との間にバックホールリンクが設定されている場合のランダムアクセス手順が明確化される。
【００８６】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ユーザ装置１０と基地局２０は機能的なブロック図を用いて説明されたが、そのような装置はハードウェアで、ソフトウェアで又はそれらの組み合わせで実現されてもよい。本発明の実施の形態に従ってユーザ装置１０が有するプロセッサにより動作するソフトウェア及び本発明の実施の形態に従って基地局２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８７】
上記の実施例では、ＳＳＢ  ｉｎｄｅｘ及び対応するＲＡＣＨ  ｏｃｃａｓｉｏｎ  ｉｎｄｅｘだけでは、時間周波数リソースの位置が特定できない場合に、ランダムアクセスプリアンブルを送信するための時間周波数リソース位置をＳＳＢ  ｉｎｄｅｘ及び対応するＲＡＣＨ  ｏｃｃａｓｉｏｎ  ｉｎｄｅｘに基づいて特定する方法を示した。しかしながら、上述の方法は、ｐｒｅａｍｂｌｅ  ｉｎｄｅｘがＳＳＢ毎に分けられているようなケース（１つのＲＡＣＨ  ｏｃｃａｓｉｏｎに複数のＳＳＢが紐づいているケース）であっても、そのリソースの時間位置を考慮して同じように適用することが可能である。
【００８８】
また、ハンドオーバ又はＰＳＣｅｌｌの追加等、ＰＤＣＣＨ  ｏｒｄｅｒ以外のｃｏｎｔｅｎｔｉｏｎ  ｆｒｅｅ  ｒａｎｄｏｍ  ａｃｃｅｓｓに対しても適用可能である。
【００８９】
さらに、ＳＳ  ｂｌｏｃｋでなく、ＣＳＩ−ＲＳ  ｂａｓｅｄ  ｒａｎｄｏｍ  ａｃｃｅｓｓの場合にも適用可能である。
【００９０】
また、情報の通知は、本明細書で説明した態様／実施形態に限られず、他の方法で行われてもよい。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ＭＡＣ（Ｍｅｄｉｕｍ  Ａｃｃｅｓｓ  Ｃｏｎｔｒｏｌ）シグナリング、ブロードキャスト情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ））、その他の信号又はこれらの組み合わせによって実施されてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。
【００９１】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＳＵＰＥＲ  ３Ｇ、ＩＭＴ−Ａｄｖａｎｃｅｄ、４Ｇ、５Ｇ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されてもよい。
【００９２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９３】
本明細書において基地局２０によって行われるとした特定動作は、場合によってはその上位ノード（ｕｐｐｅｒ  ｎｏｄｅ）によって行われることもある。基地局２０を有する１つまたは複数のネットワークノード（ｎｅｔｗｏｒｋ  ｎｏｄｅｓ）からなるネットワークにおいて、ユーザ装置１０との通信のために行われる様々な動作は、基地局２０および／または基地局２０以外の他のネットワークノード（例えば、ＭＭＥまたはＳ−ＧＷなどが考えられるが、これらに限られない）によって行われ得ることは明らかである。上記において基地局２０以外の他のネットワークノードが１つである場合を例示したが、複数の他のネットワークノードの組み合わせ（例えば、ＭＭＥおよびＳ−ＧＷ）であってもよい。
【００９４】
本明細書で説明した各態様／実施形態は単独で用いてもよいし、組み合わせて用いてもよいし、実行に伴って切り替えて用いてもよい。
【００９５】
ユーザ装置１０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９６】
基地局２０は、当業者によって、ＮＢ（ＮｏｄｅＢ）、ｅＮＢ（ｅｎｈａｎｃｅｄ  ＮｏｄｅＢ）、ベースステーション（Ｂａｓｅ  Ｓｔａｔｉｏｎ）、ｇＮＢ、またはいくつかの他の適切な用語で呼ばれる場合もある。
【００９７】
本明細書で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベースまたは別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。
【００９８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９９】
「含む（ｉｎｃｌｕｄｅ）」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（ｏｒ）」は、排他的論理和ではないことが意図される。
【０１００】
本開示の全体において、例えば、英語でのａ，ａｎ，及びｔｈｅのように、翻訳により冠詞が追加された場合、これらの冠詞は、文脈から明らかにそうではないことが示されていなければ、複数のものを含み得る。
【０１０１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１０２】
１０  ユーザ装置
１１０  送信部
１２０  受信部
１３０  制御部
１４０  データ格納部
２０  中継基地局
２１０  送信部
２２０  受信部
２３０  制御部
２４０  データ格納部
３０  ドナー基地局
１００１  プロセッサ
１００２  メモリ
１００３  ストレージ
１００４  通信装置
１００５  入力装置
１００６  出力装置
【図１】
2020035952.tif 000003
【図２】
2020035952.tif 000004
【図３】
2020035952.tif 000005
【図４】
2020035952.tif 000006
【図５】
2020035952.tif 000007
【図６】
2020035952.tif 000008
【図７】
2020035952.tif 000009
【国際調査報告】
2020035952.tif 000010
2020035952.tif 000011